(57)【特許請求の範囲】
【請求項１】
外筒内に、集水管と、該集水管の外周に巻回された複数の封筒状膜とを収容し、隣接する前記封筒状膜の間を原水流路としてなるスパイラル膜モジュールと、複数本の前記スパイラル膜モジュールの両端部にそれぞれ共通に接続され、それぞれ外部との間で原水の流出入を行うマニホールドとを備え、前記スパイラル膜モジュールの前記原水流路と２つの前記マニホールドの内部との間で原水の流出入を可能とした水処理用膜モジュールユニットにおいて、
前記マニホールドの各々は、前記スパイラル膜モジュールが接続される側面を含む第１の部材と、前記側面と異なる側面を含む第２の部材とに分割可能に構成されており、
前記集水管の端部が開口する少なくともいずれか一方の前記マニホールドの内部に、配管によって形成された１つの処理水流路を設け、前記集水管の端部をそれぞれ前記処理水流路に接続したことを特徴とする水処理用膜モジュールユニット。
【請求項２】
前記集水管は、一方端部のみが開口しており、
全ての前記スパイラル膜モジュールの前記集水管は、２つの前記マニホールドのうちのいずれか一方のみに開口し、当該一方のマニホールドの内部のみに前記処理水流路が設けられていることを特徴とする請求項１記載の水処理用膜モジュールユニット。
【請求項３】
前記集水管は、一方端部のみが開口しており、
全ての前記スパイラル膜モジュールの前記集水管は、２つの前記マニホールドにそれぞれ分かれて開口し、２つの前記マニホールドの内部にそれぞれ前記処理水流路が設けられていることを特徴とする請求項１記載の水処理用膜モジュールユニット。
【請求項４】
前記集水管は、両端部がそれぞれ開口しており、
全ての前記スパイラル膜モジュールの前記集水管は、２つの前記マニホールドにそれぞれ開口し、２つの前記マニホールドの内部にそれぞれ前記処理水流路が設けられていることを特徴とする請求項１記載の水処理用膜モジュールユニット。
【請求項５】
前記処理水流路は、前記スパイラル膜モジュールの前記集水管毎に対応する複数の配管部材同士が接続されることにより形成されてなることを特徴とする請求項１〜４のいずれかに記載の水処理用膜モジュールユニット。
【発明の詳細な説明】
【技術分野】
【０００１】
本発明は水処理用膜モジュールユニットに関し、詳しくは、スパイラル膜モジュールとマニホールドとの接続構造が改良された膜モジュールユニットに関する。
【背景技術】
【０００２】
従来、船舶バラスト水中の微生物を膜処理することによって除去する試みがなされている。特にタンカーのような巨大船舶では、バラストタンクの容量も巨大となるため、バラスト水を膜処理する場合は膨大な量のバラスト水を短時間で処理する必要があり、このため船舶内に膨大な数の膜を備える必要がある。【０００３】
このため、本願出願人は、原水の流路を構成するマニホールドに対して複数本のスパイラル膜モジュールを接続した構造の水処理用膜モジュールユニットを提案している（特許文献１）。【０００４】
スパイラル膜モジュールは、集水管の外周に複数の封筒状膜が巻回されてなる構造体の外周を外筒で被覆した構造を有しており、複数本のスパイラル膜モジュールの端部を一つのマニホールドに原水の流出入が可能となるように接続することで、一つの水処理用膜モジュールユニットを構成している。【０００５】
図７に、この水処理用膜モジュールユニットの要部断面図を示す。図中、１００はスパイラル膜モジュール、２００はスパイラル膜モジュール１００の一方端部に接続された第１マニホールド、３００はスパイラル膜モジュール１００の他方端部に接続された第２マニホールドである。【０００６】
スパイラル膜モジュール１００は、中心軸部分に、一端が閉鎖され他端のみが開口する集水管１０３が配置されており、この集水管１０３の外周に複数の封筒状膜１０２が巻回されている。この集水管１０３の外周に複数の封筒状膜１０２が巻回された構造体は、集水管１０３の長さ方向が外筒１０１の長さ方向と一致するように該外筒１０１内に収容されている。【０００７】
第１マニホールド２００は、内部に複数の膜モジュール１００に共通の原水室２０１を有しており、壁面に原水が導入される原水導入口２０２と、スパイラル膜モジュール１００の外筒１０１の一端を接続するための複数の取付け開口部２０３とが形成されている。【０００８】
第２マニホールド３００は、内部に複数のスパイラル膜モジュール１００に共通の洗浄排液室（原水濃縮液）３０１と、この洗浄排液室３０１に対して区画され、複数のスパイラル膜モジュール１００に共通の処理水室３０２とを有している。各スパイラル膜モジュール１００の集水管１０３の開口端は、処理水室３０２と接続されている。壁面には処理水室３０２内の処理水を排出する処理水排出口３０３と、洗浄排液室３０１内の排液を排出する排液排出口３０４と、スパイラル膜モジュール１００の外筒１０１の他端を接続するための複数の取付け開口部３０５とが形成されている。【０００９】
これら第１マニホールド２００及び第２マニホールド３００とスパイラル膜モジュール１００の外筒１０１とは、Ｏリング等のシール部材を介して嵌合し、例えば接着剤によって固着したり、第１マニホールド２００と第２マニホールド３００とに亘ってボルト（図示せず）を架け渡したりすることによって接続すると共に、集水管１０３の開口端を第２マニホールド３００の処理水室３０２の壁面に貫通させることで、該集水管１０３の内部と処理水室３０２とを連通させるようにしている。【００１０】
このような水処理用膜モジュールユニットによれば、大量のバラスト水の膜処理を並列して行うことができて極めて効率的であり、省スペース化を図ることができる等の数々の利点を有している。
【先行技術文献】
【特許文献】
【００１１】
【特許文献１】特開２０１１−９２８２４号公報
【発明の概要】
【発明が解決しようとする課題】
【００１２】
本発明者は、この水処理用膜モジュールユニットの更なる性能向上を図るべく鋭意検討したところ、以下の新たな課題を見出した。【００１３】
第１に、スパイラル膜モジュールからの処理水は集水管によって一方の端部に集められるため、スパイラル膜モジュールの両端部にそれぞれ接続されるマニホールドのうちの一方のマニホールドのみに独立した処理水室を設けている。これによりマニホールド構造が大型化、複雑化し、しかもマニホールドのそれぞれを異なる構造にしなくてはならない。特に水処理用膜モジュールを船舶に搭載してバラスト水の処理に使用する場合、限られた船舶内のスペースを有効利用できるようにするため、コンパクト化することが必要条件である。このため、スパイラル膜モジュールの両端部の各マニホールドで小型化、単純化できると共に、マニホールド構造を共通化できるようにすることが望まれる。【００１４】
第２に、スパイラル膜モジュールの集水管が開口している端部側とマニホールドとの接続は、スパイラル膜モジュールの外筒をマニホールドと水密状に接続することに加えて、集水管の端部をマニホールド内の処理水室と連通するように該処理水室の隔壁に対して水密状に接続しなくてはならない。処理水中に原水（原水濃縮液）が混入することを避ける必要があるためである。しかし、集水管はマニホールドの内部で処理水室の隔壁を貫通するように接続されるので、集水管の端部と隔壁との接続状態を直接確認することができない。このため、集水管の端部の接続状態（シール状態）を容易に確認できることが望まれる。【００１５】
第３に、集水管の端部は、マニホールド内に形成された処理水室の壁部を貫通するように接続されるため、集水管の端部と隔壁との水密を確実に行う必要がある。しかし、上述したように、集水管の端部と隔壁との接続状態が直接確認できないことと相俟って、信頼性の高い水密構造とすることが難しい。このため、集水管の端部を信頼性の高い水密構造によって接続できるようにすることが望まれる。【００１６】
そこで、本発明は、複数本のスパイラル膜モジュールの両端部にそれぞれ共通に接続されるマニホールド構造を簡素化できると共に、スパイラル膜モジュールの集水管との信頼性の高い水密接続を確実且つ容易に行うことが可能な水処理用膜モジュールユニットを提供することを課題とする。【００１７】
また、本発明の他の課題は、以下の記載によって明らかとなる。
【課題を解決するための手段】
【００１８】
上記課題は、以下の各発明によって解決される。【００１９】
１．
外筒内に、集水管と、該集水管の外周に巻回された複数の封筒状膜とを収容し、隣接する前記封筒状膜の間を原水流路としてなるスパイラル膜モジュールと、複数本の前記スパイラル膜モジュールの両端部にそれぞれ共通に接続され、それぞれ外部との間で原水の流出入を行うマニホールドとを備え、前記スパイラル膜モジュールの前記原水流路と２つの前記マニホールドの内部との間で原水の流出入を可能とした水処理用膜モジュールユニットにおいて、
前記マニホールドの各々は、前記スパイラル膜モジュールが接続される側面を含む第１の部材と、前記側面と異なる側面を含む第２の部材とに分割可能に構成されており、
前記集水管の端部が開口する少なくともいずれか一方の前記マニホールドの内部に、配管によって形成された１つの処理水流路を設け、前記集水管の端部をそれぞれ前記処理水流路に接続したことを特徴とする水処理用膜モジュールユニット。【００２０】
２．
前記集水管は、一方端部のみが開口しており、
全ての前記スパイラル膜モジュールの前記集水管は、２つの前記マニホールドのうちのいずれか一方のみに開口し、当該一方のマニホールドの内部のみに前記処理水流路が設けられていることを特徴とする前記１記載の水処理用膜モジュールユニット。【００２１】
３．
前記集水管は、一方端部のみが開口しており、
全ての前記スパイラル膜モジュールの前記集水管は、２つの前記マニホールドにそれぞれ分かれて開口し、２つの前記マニホールドの内部にそれぞれ前記処理水流路が設けられていることを特徴とする前記１記載の水処理用膜モジュールユニット。【００２２】
４．
前記集水管は、両端部がそれぞれ開口しており、
全ての前記スパイラル膜モジュールの前記集水管は、２つの前記マニホールドにそれぞれ開口し、２つの前記マニホールドの内部にそれぞれ前記処理水流路が設けられていることを特徴とする前記１記載の水処理用膜モジュールユニット。【００２３】
５．
前記処理水流路は、前記スパイラル膜モジュールの前記集水管毎に対応する複数の配管部材同士が接続されることにより形成されてなることを特徴とする前記１〜４のいずれかに記載の水処理用膜モジュールユニット。
【発明の効果】
【００２４】
本発明によれば、複数本の膜モジュールの両端部にそれぞれ共通に接続されるマニホールド構造を簡素化できると共に、膜モジュールの集水管との信頼性の高い水密接続を確実且つ容易に行うことが可能な膜モジュールユニットを提供することができる。
【図面の簡単な説明】
【００２５】
【図１】一つの水処理用膜モジュールユニットの斜視図
【図２】スパイラル膜モジュールの断面図
【図３】図１に示す水処理用膜モジュールユニットの断面図
【図４】水処理用膜モジュールユニットの別の実施形態を示す断面図
【図５】水処理用膜モジュールユニットの更に別の実施形態を示す断面図
【図６】マニホールドの他の態様を示す水処理用膜モジュールユニットの斜視図
【図７】従来の水処理用膜ユニットの断面図
【発明を実施するための形態】
【００２６】
以下、本発明を実施するための形態について説明する。
【００２７】
図１は、一つの水処理用膜モジュールユニットの斜視図、図２は、スパイラル膜モジュールの断面図、図３は、図１に示す水処理用膜モジュールユニットの断面図である。
【００２８】
水処理用膜モジュールユニット（バラスト処理用膜モジュールユニット（以下、単にユニットという。））１Ａは、１列に並設された複数本のスパイラル膜モジュール（以下、単に膜モジュールという。）２と、これら膜モジュール２の両端部に接続され、これら複数本の膜モジュール２に共通の第１マニホールド３及び第２マニホールド４とを有している。
【００２９】
膜モジュール２は、処理水を集める集水管２１と、該集水管２１の外周に巻回状態で設けられた多数の封筒状膜２２と、この集水管２１の外周に封筒状膜２２が巻回された構造体の外周を被覆する外筒２３とを有している。外筒２３は、両端が開口する円筒形状のＦＲＰ製の筒状体であり、集水管２１の長さ方向が外筒２３の長さ方向と一致するように上記構造体を内部に収容している。
【００３０】
各封筒状膜２２内には、それぞれ封筒状膜２２の張設状態を維持し、該封筒状膜２２の内側に透過した処理水のためのスペースを形成する透過側スペーサ２２ａが設けられている。封筒状膜２２の内部は集水管２１の内部と連通しており、該封筒状膜２２を透過した処理水を集水管２１に移送可能としている。この封筒状膜２２は、集水管２１の外周面に放射状に取り付けられており、これらが集水管２１に巻回されて該集水管２１の外周に高密度に巻き付けられることによって、全体として集水管２１を軸とする略円柱状を呈している。
【００３１】
隣接する封筒状膜２２の間には、封筒状膜２２同士が密着して膜面積が狭くなることを防止すると共に集水管２１と外筒２３の間の隣接する封筒状膜２２間に原水流路２４を形成するためのスペーサ２５が挿設されている。
【００３２】
集水管２１は、図３に示すように、一方端が閉鎖された閉鎖端部２１ａであり、他方端がバラスト処理水を排出するために開口した開口端部２１ｂとされている。
【００３３】
膜モジュール２は、第１マニホールド３と第２マニホールド４との間に２本以上並設されればよい。その数は限定されるわけではないが、好ましくは３〜２０本の範囲であり、より好ましくは４〜１５本であり、さらに好ましくは５〜１０本である。本実施形態では６本の膜モジュール２を１列に並設している。
【００３４】
一方の第１マニホールド３は、直方体状の箱型を呈しており、内部に複数の膜モジュール２に共通の一つの原水室３１を形成している。第１マニホールド３の長手方向に沿う一つの側面３２ａは、複数本の膜モジュール２との接続面であり、該側面３２ａから円筒状に突出形成された膜モジュール２と同数の接続開口部３３が並設されている。
【００３５】
各膜モジュール２の一方の端部は、この接続開口部３３に対して外筒２３が水密状に接続される。これにより、各膜モジュール２の内部の原水流路２４は、一方端部側において第１マニホールド３内の原水室３１と原水の流出入が可能となるように連通している。
【００３６】
第１マニホールド３の長手方向の一方端部には、ここでは原水室３１に対して原水を供給するための供給口３４が形成されており、不図示の供給管と接続されることで、原水室３１に原水を供給可能とされている。
【００３７】
また、第１マニホールド３は、膜モジュール２が接続される側面３２ａを含む第１の部材３ａと、この側面３２ａと相反する側面３２ｂを含む第２の部材３ｂとの２つの部材に分割可能に構成されている。第２の部材３ｂは、側面３２ｂを全て含み、第１マニホールド３の長手方向に沿って延びるように形成されている。供給口３４は、このうちの第１の部材３ａ側に形成されている。
【００３８】
これら第１の部材３ａと第２の部材３ｂとは、不図示のシール部材を挟んで接合され、不図示の取り付けボルト等によって着脱可能に一体化されることで、箱型状の第１マニホールド３を構成している。このため、第１マニホールド３は、必要に応じて第２の部材３ｂを取り外すことにより、原水室３１を開放することができ、内部の状態、例えば各膜モジュール２の外筒２３との接続状態及びシール状態を直接確認することができるようになっている。
【００３９】
他方の第２マニホールド４も、直方体状の箱型を呈し、第１マニホールド３と同一構造からなる。内部には複数の膜モジュール２に共通の一つの原水室４１を形成している。第２マニホールド４の長手方向に沿う一つの側面４２ａは、複数本の膜モジュール２との接続面であり、該側面４２ａから円筒状に突出形成された膜モジュール２と同数の接続開口部４３が並設されている。
【００４０】
各膜モジュール２の他方の端部は、この接続開口部４３に対して外筒２３が水密状に接続される。これにより、各膜モジュール２の内部の原水流路２４は、他方端部側においても、第１マニホールド３と同様、第２マニホールド４内の原水室４１と原水の流出入が可能となるように連通している。
【００４１】
第２マニホールド４の長手方向の一方端部には、ここでは原水室４１内の原水（膜モジュール２による処理後の原水濃縮液）を排出するための排出口４４が形成されており、不図示の排出管と接続されることで、原水室４１内の原水濃縮液を排出可能とされている。
【００４２】
また、第２マニホールド４も、膜モジュール２が接続される側面４２ａを含む第１の部材４ａと、この側面４２ａと相反する側面４２ｂを含む第２の部材４ｂとの２つの部材に分割可能に構成されている。第２の部材４ｂは、側面４２ｂを全て含み、第２マニホールド４の長手方向に沿って延びるように形成されている。排出口４４は、このうちの第１の部材４ａ側に形成されている。
【００４３】
これら第１の部材４ａと第２の部材４ｂとは、不図示のシール部材を挟んで接合され、不図示の取り付けボルト等によって着脱可能に一体化されることで、箱型状の第２マニホールド４を構成している。このため、第２マニホールド４は、必要に応じて第２の部材４ｂを取り外すことにより、原水室４１を開放することができ、内部の状態、例えば各膜モジュール２の外筒２３との接続状態及びシール状態、後述する集水管２１と処理水流路５との接続状態及びシール状態を直接確認することができるようになっている。
【００４４】
各膜モジュール２の集水管２１の開口端部２１ｂは、この第２マニホールド４の接続開口部４３から内部の原水室４１内にそれぞれ臨んでいる。そして、この原水室４１内において、各集水管２１の開口端部２１ｂは、共通の１本の処理水流路５にそれぞれ接続されている。
【００４５】
処理水流路５は、複数の配管５１、５２を接続することによって形成されている。配管５１はＬ字状のエルボ管からなり、一端が最も端部側（図３における上端側）に配置される膜モジュール２の集水管２１の開口端部２１ｂと接続され、他端が第２マニホールド４の長手方向に向けて開口している。
【００４６】
また、その他の配管５２は全て同一形状のＴ字管からなり、上記配管５１と接続された膜モジュール２以外の膜モジュール２の集水管２１と接続されている。配管５２の中央の接続口は膜モジュール２の集水管２１の開口端部２１ｂと接続され、両端の接続口の一方は上記配管５１の他端と接続され、他方は第２マニホールド４の長手方向に向けて開口し、隣接する膜モジュール２の集水管２１と接続される配管５２の両端の一方の接続口と接続されている。
【００４７】
第２マニホールド４内の処理水流路５は、これら１つの配管５１と５つの配管５２とが互いに接続されることで、各膜モジュール２の集水管２１に採り出された処理水を集める流路を構成している。第２マニホールド４の排出口４４と相反する長手方向の他方端部には開口部４５が形成されており、処理水流路５は、この開口部４５に水密状に貫通接続された処理水排出管５３に接続されている。開口部４５は、第２マニホールド４の第１の部材４ａ側に形成されている。
【００４８】
このようなユニット１Ａにおいて、各集水管２１と処理水流路５との接続は、各膜モジュール２の外筒２３を第２マニホールド４の第１の部材４ａに形成された接続開口部４３にシール部材を介してそれぞれ接続した後、第２の部材４ｂを取り外した状態のまま、各集水管２１の開口端部２１ｂにそれぞれ配管５１、５２を接続していくことによって行うことができる。各集水管２１に対する配管５１、５２の接続作業は直接目視確認しながら行うことができるため、接続状態及びシール状態を容易に確認でき、確実な接続とシールを行うことができる。その後、第２の部材４ｂを接合すれば、内部に処理水流路５を有する第２マニホールド４が完成する。
【００４９】
このように各集水管２１の接続を、処理水流路５を構成する配管５１、５２によって行うので、従来のように壁面に貫通させるだけの接続構造に比べて信頼性の高い水密構造とすることができる。
【００５０】
また、処理水流路５は第２マニホールド４内のみに形成されるにも関わらず、第１マニホールド３と第２マニホールド４を全く同一構造とすることができるため、部品管理も簡素化でき、低コスト化を図ることもできる。
【００５１】
しかも、処理水流路５は第２マニホールド４とは別途独立した配管５１、５２によって構成されるため、従来のように第２マニホールド内部を隔壁によって仕切って室を形成する必要がなくなり、それだけマニホールドを小型化することができる。
【００５２】
なお、第２マニホールド４の開口部４５に対応する第１マニホールド３の同一の部位にも開口部３５が形成されているが、本実施形態においては不要であるため、閉塞部材３６によって水密状に閉塞されている。
【００５３】
このユニット１Ａにおいては、第２マニホールド４に原水を供給するようにしてもよい。この場合、排出口４４が原水の供給口として機能し、第１マニホールド３の供給口３４が原水濃縮液の排出口として機能する。
【００５４】
図４は、ユニットの別の実施形態を示している。図３と同一構成の部位には同一の符号を付してある。
【００５５】
このユニット１Ｂにおいて、各膜モジュール２の集水管２１は、両端部が開口端部２１ｂとされている。各集水管２１の開口端部２１ｂは、それぞれ第１マニホールド３及び第２マニホールド４内の原水室３１、４１に臨んでおり、これら第１マニホールド３及び第２マニホールド４内においてそれぞれ同一構造の処理水流路５と接続されている。従って、本実施形態では、第１マニホールド３の開口部３６にも処理水排出管５３が水密状に貫通接続されており、ユニット１Ｂ全体として図示左右で対称構造となっている。
【００５６】
このユニット１Ｂも、各膜モジュール２の一方の端部に第１マニホールド３の第１の部材３ａを接続すると共に、他方の端部に第２マニホールド４の第１の部材４ａを接続した後、各集水管２１の開口端部２１ｂにそれぞれ配管５１、５２からなる処理水流路５を接続し、しかる後、それぞれ第２の部材３ｂ、４ｂを接合すればよい。
【００５７】
このユニット１Ｂによれば、上記ユニット１Ａと同一の効果を有することに加え、第１マニホールド３及び第２マニホールド４のいずれにも処理水流路５を有しているため、いずれからも処理水を採り出すことができる。しかも、原水の供給及び原水濃縮液の排出を、第１マニホールド３及び第２マニホールド４のいずれからも行うことができる。従って、ユニットを多数並設してユニット集合体を構成する場合、図３に示したユニット１Ａでは、処理水排出管５３が同一側に揃うように並設しなくてはならないが、このユニット１Ｂでは、第１マニホールド３及び第２マニホールド４のいずれにも処理水排出管５３が設けられるため、並設時に向きを揃えるように注意を払う必要はない。
【００５８】
図５は、ユニットの更に別の実施形態を示している。図３と同一構成の部位には同一の符号を付してある。
【００５９】
このユニット１Ｃにおいて、各膜モジュール２の集水管２１は、図３と同様、一方端部のみが開口端部２１ｂとされているが、開口端部２１ｂは、膜モジュール２毎に第１マニホールド３側と第２マニホールド４側とに分かれて配置されている。ここでは隣接する膜モジュール２で第１マニホールド３側と第２マニホールド４側とに交互となるように配置されている。
【００６０】
従って、このユニット１Ｃにおいても、第１マニホールド３及び第２マニホールド４内にそれぞれ集水管２１の開口端部２１ｂと接続された処理水流路５を有し、第１マニホールド３及び第２マニホールド４にそれぞれ処理水排出管５３が貫通接続されている。
【００６１】
第１マニホールド３内の処理水流路５は、配管５１ａと配管５２ａとで構成されている。配管５１ａはＬ字状のエルボ管からなり、配管５２ａはＴ字管からなる点で、図３に示す配管５１、５２と同一であるが、いずれも一端の長さが長く形成されている。
【００６２】
第２マニホールド４内の処理水流路５は、上記と同じ配管５１ａと配管５２ａとを有するが、処理水排出管５３と接続される部分の配管５２だけ、図３に示した配管５２と同一構造となっている。
【００６３】
このユニット１Ｃも、ユニット１Ｂと同様にして各膜モジュール２と第１マニホールド３及び第２マニホールド４との接続を行うことができる。
【００６４】
また、このユニット１Ｃでは、図３に示すユニット１Ａと同一の効果を有することに加え、該ユニット１Ａと同一の処理水量を第１マニホールド３側の処理水流路５と、第２マニホールド４側の処理水流路５とに分けて採り出すことができるため、ユニット１Ａに比べて各処理水流路５内を流れる処理水の流量を少なくできる。これにより処理水流路５の径をユニット１Ａに比べて細くすることが可能となる。処理水流路５の径が細くなることにより、第１マニホールド３及び第２マニホールド４の容積を小さくすることができるようになり、よりコンパクト化を図ることが可能となる。
【００６５】
また、ユニット１Ａに比べ、一つのマニホールド内における処理水流路５を構成する配管数が少なくなるため、マニホールド内における集水管２１と配管５１ａ、５２ａ、５２との接続作業及び配管同士の接続作業を容易に行うことができるようになる効果もある。
【００６６】
これらユニット１Ａ、１Ｂ、１Ｃは、同一構造のユニット、すなわちユニット１Ａ同士、ユニット１Ｂ同士又はユニット１Ｃ同士が複数基組み合わされてユニット集合体を構成することによって、バラスト水等の大量の原水を短時間に処理することができる。
【００６７】
集合された各ユニット１Ａ、１Ｂ又は１Ｃは、それぞれ供給口３４、排出口４４に原水の供給管、原水濃縮液の排出管を個別に接続してもよいし、この他、これら供給口３４、排出口４４を、隣接する他のユニット１Ａ、１Ｂ又は１Ｃの開口部３５、４５と水密状に接続することで、複数のユニット１Ａ、１Ｂ又は１Ｃ間で原水室３１、４１が連通状態となるようにユニット集合体を構成してもよい。この場合、処理水流路５は、エルボ管からなる配管５１に代えてＴ字管を使用し、他のユニット１Ａ、１Ｂ又は１Ｃ内の処理水流路５と開口部３５、４５を貫通する不図示の接続用配管によって連結させればよい。
【００６８】
以上説明したユニット１Ａ、１Ｂ、１Ｃでは、原水の供給口３４（４４）、原水濃縮液の排出口４４（３４）を、第１マニホールド３及び第２マニホールド４の長手方向の端部に設けるようにしたが、例えば第１マニホールド３及び第２マニホールド４の第１の部材３ａ、４ａの部位に設けるようにしてもよい。
【００６９】
また、同様に、処理水排出管５３も、第１マニホールド３及び第２マニホールド４の第１の部材３ａ、４ａの部位に設けるようにしてもよい。
【００７０】
更に、以上説明した第１マニホールド３及び第２マニホールド４は、いずれも膜モジュール２が接続される側面３２ａ、４２ａを含む第１の部材３ａ、４ａと、この側面３２ａ、４２ａと相反する側面３２ｂ、４２ｂを含む第２の部材３ｂ、４ｂとの２つの部材に分割可能に構成したが、第２の部材３ｂ、４ｂは、膜モジュール２が接続される側面３２ａ、４２ａと異なる側面によって形成されるものであればよい。従って、図６に示すように、第２の部材３ｂ、４ｂは、膜モジュール２が接続される側面３２ａ、４２ａに隣接する側面を含むように形成してもよい。
【００７１】
第１マニホールド３及び第２マニホールド４は、各第２の部材３ｂ、４ｂがユニット１Ａの同一側（例えば図６中の上側）に配置されるように形成することで、第１マニホールド３及び第２マニホールド４の両方に対して同一方向からメンテナンスを行うことができ、作業性を良好にすることができる。
【００７２】
なお、図６ではユニット１Ａを用いたものを示したが、他のユニット１Ｂ、１Ｃでも同様である。
【符号の説明】
【００７３】
１：水処理用膜モジュールユニット（ユニット）
２：スパイラル膜モジュール（膜モジュール）
２１：集水管
２１ａ：閉鎖端部
２１ｂ：開口端部
２２：封筒状膜
２２ａ：透過側スペーサ
２３：外筒
２４：原水流路
２５：スペーサ
３：第１マニホールド
３ａ：第１の部材
３ｂ：第２の部材
３１：原水室
３２ａ、３２ｂ：側面
３３：接続開口部
３４：供給口
４：第２マニホールド
４ａ：第１の部材
４ｂ：第２の部材
４１：原水室
４２ａ、４２ｂ：側面
４３：接続開口部
４４：供給口
４５：開口部
５：処理水流路
５１、５２、５１ａ、５２ａ：配管
５３：処理水排出管
【図１】
0005502246.tif 000002
【図２】
0005502246.tif 000003
【図３】
0005502246.tif 000004
【図４】
0005502246.tif 000005
【図５】
0005502246.tif 000006
【図６】
0005502246.tif 000007
【図７】
0005502246.tif 000008